(57)【要約】【課題】複数の電池セルそれぞれの流体による冷却効果にバラツキが生じることの抑制された電池モジュールを提供する。【解決手段】電池モジュールはｙ方向で隙間を介して順に並ぶ４つ以上の電池セル１１と、これを収納するケース３０と、を有する。ケース３０の第１側壁３５ｃと第２側壁３５ｄそれぞれには３つ以上のスリット３６が形成されている。第１側壁に形成されたスリットと第２側壁に形成されたスリットは隙間を介してｘ方向で並んでいる。第１側壁の外側面３５ｆにおける、３つ以上のスリットのうちの両端に位置するスリットの間の配置領域に、ダクト３００から外側面に供給された流体の、第１端壁と第２端壁のうちの一方から他方へと向かう流動を妨げる妨げ部材９０が設けられている。【選択図】図７
2020136164.tif 000002
【特許請求の範囲】
【請求項１】
並び方向で隙間を介して順に並ぶ４つ以上の電池セル（１１）を備える電池スタック（１０）と、
４つ以上の前記電池セルを収納空間に収納するケース（３０）と、を有し、
前記ケースは、開口を有する筐体（３１）と、前記筐体の開口を閉塞する態様で前記筐体に連結されることで、前記筐体とともに前記収納空間を構成する蓋体（３２）と、を有し、
前記筐体は底壁（３４）と、前記底壁の内底面（３４ａ）から環状に起立した環状壁（３５）と、を有し、
前記環状壁は、前記並び方向で離間して並ぶ第１端壁（３５ａ）と第２端壁（３５ｂ）、および、前記第１端壁と前記第２端壁を連結する第１側壁（３５ｃ）と第２側壁（３５ｄ）を有し、
前記第１側壁と前記第２側壁それぞれには、前記第１側壁と前記第２側壁それぞれの前記収納空間側の内側面（３５ｅ）とその裏側の外側面（３５ｆ）とに開口するスリット（３６）が３つ以上形成され、
前記第１側壁に形成された前記スリットと前記第２側壁に形成された前記スリットとは、前記隙間を介して、前記第１端壁と前記第２端壁の並ぶ横方向で並び、
前記第１側壁と前記第２側壁それぞれの前記外側面の少なくとも一方における、３つ以上の前記スリットのうちの最も前記第１端壁側に位置する前記スリットと、３つ以上の前記スリットのうちの最も前記第２端壁側に位置する前記スリットとの間の配置領域（ＡＲ）に、ダクト（３００）から前記外側面に供給された流体の、前記第１端壁と前記第２端壁のうちの一方から他方へと向かう流動を妨げる妨げ部材（９０〜９２）が設けられている電池モジュール。
【請求項２】
前記妨げ部材は、前記横方向において前記スリットと非対向になっている請求項１に記載の電池モジュール。
【請求項３】
前記配置領域における前記第１端壁側、および、前記第２端壁側それぞれに前記妨げ部材が設けられている請求項２に記載の電池モジュール。
【請求項４】
前記配置領域における前記第１端壁側に設けられた前記妨げ部材を第１妨げ部材（９１）、前記配置領域における前記第２端壁側に設けられた前記妨げ部材を第２妨げ部材（９２）とすると、
前記第１妨げ部材は、前記並び方向において、前記配置領域における前記第１端壁側に位置して前記並び方向で順に並ぶ２つの前記スリットの間の前記第１端壁側に位置し、
前記第２妨げ部材は、前記並び方向において、前記配置領域における前記第２端壁側に位置して前記並び方向で順に並ぶ２つの前記スリットの間の前記第２端壁側に位置している請求項３に記載の電池モジュール。
【請求項５】
前記配置領域における前記第１端壁側に設けられた前記妨げ部材を第１妨げ部材（９１）、前記配置領域における前記第２端壁側に設けられた前記妨げ部材を第２妨げ部材（９２）とすると、
前記配置領域の前記並び方向の中心を前記横方向に貫く中心線（ＣＬ）を介して、複数の前記スリットそれぞれが前記並び方向で対称配置されるとともに、前記第１妨げ部材と前記第２妨げ部材とが前記並び方向で対称配置されている請求項３または請求項４に記載の電池モジュール。
【請求項６】
前記第１妨げ部材と前記第２妨げ部材それぞれを複数有し、
複数の前記第１妨げ部材それぞれの前記横方向の長さは、前記並び方向において前記第１端壁側から前記中心線側へと向かうにしたがって徐々に低くなり、
複数の前記第２妨げ部材それぞれの前記横方向の長さは、前記並び方向において前記第２端壁側から前記中心線側へと向かうにしたがって徐々に低くなっている請求項５に記載の電池モジュール。
【請求項７】
前記筐体は、前記底壁と前記環状壁の他に、前記第１側壁と前記第２側壁のうちの少なくとも一方に前記ダクトを固定するための口部（３８）を有し、
前記口部は、前記第１側壁と前記第２側壁のうちの少なくとも一方の前記外側面における前記筐体の前記開口側から前記横方向に起立するとともに前記並び方向に延びる上側延長部（３８ｃ）と、前記第１側壁と前記第２側壁のうちの少なくとも一方の前記外側面における前記底壁側から前記横方向に起立するとともに前記並び方向に延びる下側延長部（３８ｄ）と、を有し、
前記妨げ部材は前記上側延長部と前記下側延長部のうちの一方から他方に向かって延びている請求項１〜６いずれか１項に記載の電池モジュール。
【請求項８】
前記妨げ部材は前記上側延長部から前記下側延長部に向かって延びるとともに、前記蓋体側に開口する孔を有し、
前記孔には、前記蓋体と固定するための固定部材が設けられている請求項７に記載の電池モジュール。
【発明の詳細な説明】
【技術分野】
【０００１】
本明細書に記載の開示は、複数の電池セルを備える電池モジュールに関するものである。
【背景技術】
【０００２】
特許文献１に示されるように、複数の単電池がモジュールケースに収容された電池モジュールが知られている。このモジュールケースの両側面には通風口としてのスリットが複数形成されている。一側面に形成されたスリットを介してモジュールケース内に冷却風が流入される。他側面に形成されたスリットを介して冷却風がモジュールケースの外に流出される。
【先行技術文献】
【特許文献】
【０００３】
【特許文献１】特開２０１６−１１５５９９号公報
【発明の概要】
【発明が解決しようとする課題】
【０００４】
特許文献１に示される電池モジュールにおいて、複数のスリットに流入する冷却風の量に差があると、複数の単電池（電池セル）それぞれの冷却風（流体）による冷却効果にバラツキが生じる虞がある。
【０００５】
そこで本明細書に記載の開示は、複数の電池セルそれぞれの流体による冷却効果にバラツキが生じることの抑制された電池モジュールを提供することを目的とする。
【課題を解決するための手段】
【０００６】
開示の１つは、並び方向で隙間を介して順に並ぶ４つ以上の電池セル（１１）を備える電池スタック（１０）と、
４つ以上の電池セルを収納空間に収納するケース（３０）と、を有し、
ケースは、開口を有する筐体（３１）と、筐体の開口を閉塞する態様で筐体に連結されることで、筐体とともに収納空間を構成する蓋体（３２）と、を有し、
筐体は底壁（３４）と、底壁の内底面（３４ａ）から環状に起立した環状壁（３５）と、を有し、
環状壁は、並び方向で離間して並ぶ第１端壁（３５ａ）と第２端壁（３５ｂ）、および、第１端壁と第２端壁を連結する第１側壁（３５ｃ）と第２側壁（３５ｄ）を有し、
第１側壁と第２側壁それぞれには、第１側壁と第２側壁それぞれの収納空間側の内側面（３５ｅ）とその裏側の外側面（３５ｆ）とに開口するスリット（３６）が３つ以上形成され、
第１側壁に形成されたスリットと第２側壁に形成されたスリットとは、隙間を介して、第１端壁と第２端壁の並ぶ横方向で並び、
第１側壁と第２側壁それぞれの外側面の少なくとも一方における、３つ以上のスリットのうちの最も第１端壁側に位置するスリットと、３つ以上のスリットのうちの最も第２端壁側に位置するスリットとの間の配置領域（ＡＲ）に、ダクト（３００）から外側面に供給された流体の、第１端壁と第２端壁のうちの一方から他方へと向かう流動を妨げる妨げ部材（９０〜９２）が設けられている。
【０００７】
例えば、外側面（３５ｆ）において第１端壁（３５ａ）側から第２端壁（３５ｂ）側に向かう流体がダクト（３００）から供給される場合、流体は第２端壁（３５ｂ）側のスリット（３６）から第１端壁（３５ａ）側のスリット（３６）へと順に流入する振る舞いを示す。第２端壁（３５ｂ）側のスリット（３６）に流入する流体の流量が、第１端壁（３５ａ）側のスリット（３６）に流入する流体の流量よりも多くなりやすくなる。
【０００８】
これに対して本開示では、外側面（３５ｆ）の配置領域（ＡＲ）に、流体の第１端壁（３５ａ）と第２端壁（３５ｂ）のうちの一方から他方へと向かう流動を妨げる妨げ部材（９０〜９２）が設けられている。これによれば、第１端壁（３５ａ）と第２端壁（３５ｂ）のうちの他方側のスリット（３６）に流入する流体の流量が低減されやすくなる。その低減分、第１端壁（３５ａ）と第２端壁（３５ｂ）のうちの一方側のスリット（３６）に流入する流体の流量が増大されやすくなる。この結果、複数のスリット（３６）それぞれを介して複数の隙間それぞれに流入する流体の流量の差が多くなることが抑制される。これにより複数の電池セル（１１）それぞれの流体による冷却効果にバラツキが生じることが抑制される。
【０００９】
なお、上記の括弧内の参照番号は、後述の実施形態に記載の構成との対応関係を示すものに過ぎず、技術的範囲を何ら制限するものではない。
【図面の簡単な説明】
【００１０】
【図１】車載電源を説明するための上面図である。
【図２】電池モジュールの内部構成を示す分解斜視図である。
【図３】電池モジュールの外観構成を示す斜視図である。
【図４】電池モジュールの外観構成を示す斜視図である。
【図５】第１実施形態に係る電池モジュールの側面図である。
【図６】比較構成を説明するための模式図である。
【図７】図５に示す断面線Ａに沿った電池モジュールの縦断面形状を説明するための模式図である。
【図８】ダクトに対して電池モジュールの配置位置が反転された場合の冷却風の流動を説明するための模式図である。
【図９】第２実施形態に係る電池モジュールの側面図である。
【図１０】図９に示す断面線Ｂに沿った電池モジュールの縦断面形状を説明するための模式図である。
【図１１】ダクトに対して電池モジュールの配置位置が反転された場合の冷却風の流動を説明するための模式図である。
【図１２】第３実施形態に係る電池モジュールの側面図である。
【図１３】図１２に示す断面線Ｃに沿った電池モジュールの縦断面形状を説明するための模式図である。
【図１４】妨げ部材の具体例を示すための電池モジュールの側面図である。
【発明を実施するための形態】
【００１１】
以下、実施形態を図に基づいて説明する。
【００１２】
（第１実施形態）
図１〜図８に基づいて本実施形態に係る電池モジュールを説明する。本実施形態の電池モジュールは電気自動車やプラグインハイブリッド自動車などの車両に適用されている。
【００１３】
以下においては互いに直交の関係にある３方向を、ｘ方向、ｙ方向、および、ｚ方向と示す。ｘ方向が横方向に相当する。ｙ方向が並び方向に相当する。
【００１４】
＜車載電池＞
図１に示すように電池モジュール１００は車両に複数搭載される。これら複数の電池モジュール１００がワイヤハーネス１０１などによって直列接続される。これにより車載電源２００が構成されている。車載電源２００は車両の電気負荷に電力供給する機能を果たしている。
【００１５】
図１に示すように車載電源２００が備える複数の電池モジュール１００それぞれには車両のダクト３００が連結される。このダクト３００からは、電池モジュール１００の備える複数の電池セル１１の温度を調整するための流体が供給される。これにより電池セル１１の過度な温度変化が抑制されている。なお、複数のダクト３００それぞれから供給される流体の流動方向は一律に定められている。
【００１６】
車載電源２００の設置場所としては、例えば車両の前部座席下の空間、後部座席下の空間、および、後部座席とトランクルームとの間の空間などを採用することができる。
【００１７】
＜電池モジュール＞
図２〜図４に示すように電池モジュール１００は電池スタック１０、ケース３０、監視部５０、および、カバー７０を有する。電池スタック１０はケース３０の収納空間に収納されている。監視部５０はケース３０の外部に設けられている。カバー７０は監視部５０を覆う態様でケース３０に連結されている。
【００１８】
電池スタック１０はｙ方向に並ぶ複数の電池セル１１を有する。これら複数の電池セル１１のｙ方向の並びがケース３０によって保持されている。
【００１９】
ケース３０は開口を有する筐体３１と、この開口を閉塞する態様で筐体３１に固定される蓋体３２と、を有する。筐体３１には、筐体３１と蓋体３２とによって構成される収納空間とその外の空間（外部空間）とを連通するためのスリット３６が形成されている。ダクト３００から供給された流体はこのスリット３６を介して収納空間に流入される。収納空間を流動した流体はこのスリット３６を介して収納空間の外に流出される。
【００２０】
蓋体３２には、複数の電池セル１１それぞれの正極端子１２と負極端子１３を収納空間の外に露出させるための開口が複数形成されている。蓋体３２の外壁には、この開口を閉塞する態様で直列バスバが設けられている。直列バスバは、ｙ方向に隣接して並ぶ２つの電池セル１１のうちの一方の正極端子１２と、他方の負極端子１３とに接合される。これにより複数の電池セル１１が直列バスバを介して電気的に直列接続されている。
【００２１】
また蓋体３２には、複数の電池セル１１の出力電圧と電池スタック１０の温度を検出するセンサ部が設けられている。センサ部はこれら電池セル１１の出力電圧や電池スタック１０の温度を示す検出結果をアナログ信号として監視部５０に出力する。
【００２２】
具体的に言えば、センサ部は複数の直列バスバそれぞれに一端の接続された複数の電圧検出線を有する。センサ部は電池スタック１０の温度を検出するサーミスタと、このサーミスタに一端の接続された温度検出線と、を有する。センサ部はこれら複数の検出線それぞれの他端をまとめるセンサコネクタを有する。
【００２３】
監視部５０は、プリント基板５１、第１コネクタ５２、および、第２コネクタ５３を有する。プリント基板５１に第１コネクタ５２と第２コネクタ５３それぞれが搭載されている。第１コネクタ５２にワイヤハーネスを介してセンサコネクタが電気的に接続される。第２コネクタ５３にワイヤハーネスを介して外部の電池ＥＣＵが電気的に接続される。
【００２４】
図示しないが、プリント基板５１には第１コネクタ５２と第２コネクタ５３それぞれと電気的に接続された回路部が形成されている。回路部は第１コネクタ５２と電気的に接続された高電圧系回路部と、第２コネクタ５３と電気的に接続された低電圧系回路部と、これら２つの回路部を電気的に絶縁しつつ互いに信号を送受信するための絶縁回路部と、を有する。高電圧系回路部は監視ＩＣチップを有する。監視ＩＣチップはセンサ部から入力された検出結果としてのアナログ信号をデジタル信号に変換する。絶縁回路部は高電圧系回路部から入力されたデジタル信号を低電圧系回路部に出力する。低電圧系回路部は通信用のマイコンを有する。マイコンは電池ＥＣＵとの通信によって、絶縁回路部から入力された検出結果としてのデジタル信号を電池ＥＣＵに出力する。
【００２５】
電池ＥＣＵは入力された電圧や温度の検出結果に基づいて複数の電池セル１１それぞれのＳＯＣの均等化を判断する。そして電池ＥＣＵはその判断に基づく均等化処理の指示を監視部５０に出力する。この指示信号が低電圧系回路部と絶縁回路部を介して高電圧系回路部の監視ＩＣチップに入力される。監視ＩＣチップには、複数の電池セル１１それぞれを個別に充放電するためのスイッチが内包されている。監視ＩＣチップは、電池ＥＣＵから入力された指示にしたがってスイッチを開閉制御する。これによって複数の電池セル１１が個別に充放電される。この結果、複数の電池セル１１のＳＯＣが均等化される。ＳＯＣはstate of chargeの略である。
【００２６】
カバー７０は、蓋体３２の外壁とｚ方向で離間しつつ対向する態様でケース３０に連結される。この連結によってカバー７０と蓋体３２との間に空間が構成されている。この空間に直列バスバ、センサ部、および、監視部５０それぞれが設けられている。直列バスバ、センサ部、および、監視部５０それぞれがカバー７０によって覆われている。
【００２７】
カバー７０には、蓋体３２とカバー７０との間の空間の外に第２コネクタ５３を露出させるための開口が形成されている。この開口を介して第２コネクタ５３にワイヤハーネスのコネクタが挿抜可能になっている。なおカバー７０とケース３０との連結としては、例えばスナップフィットを採用することができる。
【００２８】
＜電池スタック＞
上記したように電池スタック１０はｙ方向に並ぶ４つ以上の電池セル１１を有する。これら複数の電池セル１１それぞれは、発電要素と、この発電要素を収納する金属製の電池ケースと、を有する。電池ケースは四角柱形状を成している。そのために電池ケース（電池セル１１）は６面を有している。
【００２９】
電池セル１１はｚ方向に面する上面１１ａと下面１１ｂを有する。電池セル１１はｙ方向に面する第１主面１１ｃと第２主面１１ｄを有する。電池セル１１はｘ方向に面する第１横面１１ｅと第２横面１１ｆを有する。これら６面のうち第１主面１１ｃと第２主面１１ｄは他の４面よりも面積が大きくなっている。
【００３０】
電池セル１１は二次電池である。具体的には電池セル１１はリチウムイオン電池である。リチウムイオン電池は化学反応によって起電圧を生成する。起電圧の生成により電池セル１１に電流が流れる。この通電や経年劣化などによって電池セル１１はガスを発生する。ガスの発生によって電池セル１１は膨張しようとする。金属製の電池ケースの外観形状が変化するほどに電池セル１１が膨張した場合、その電池セル１１の交換が望まれる。なお電池セル１１としてはリチウムイオン電池に限定されない。例えば電池セル１１としては、ニッケル水素二次電池、有機ラジカル電池などを採用することができる。
【００３１】
上記したように電池セル１１の第１主面１１ｃと第２主面１１ｄは他の４面よりも面積が大きくなっている。そのために電池セル１１では第１主面１１ｃと第２主面１１ｄとが膨張しやすくなっている。これにより電池セル１１はｙ方向に膨張する。すなわち電池セル１１は複数の電池セル１１の並ぶ方向に膨張する。
【００３２】
電池セル１１の上面１１ａに正極端子１２と負極端子１３が形成されている。正極端子１２と負極端子１３はｘ方向に並んでいる。正極端子１２は第１横面１１ｅ側に位置している。負極端子１３は第２横面１１ｆ側に位置している。
【００３３】
図２に示すように隣接して並ぶ２つの電池セル１１は互いに第１主面１１ｃ同士、第２主面１１ｄ同士で対向している。これにより隣接して並ぶ２つの電池セル１１のうちの一方の正極端子１２と他方の負極端子１３とがｙ方向に並んでいる。この結果、電池スタック１０では、正極端子１２と負極端子１３とがｙ方向で交互に並んでいる。
【００３４】
これらｙ方向に並んで隣り合う１つの正極端子１２と１つの負極端子１３とが上記の直列バスバを介して電気的に接続されている。これにより電池スタック１０を構成する複数の電池セル１１が電気的に直列接続されている。
【００３５】
以上に示した電気的な接続構成により、複数の電池セル１１は電位順にｙ方向に並んでいる。ｙ方向に並ぶ複数の電池セル１１のうちの両端の一方側に最高電位の電池セル１１が位置している。ｙ方向に並ぶ複数の電池セル１１のうちの両端の他方側に最低電位の電池セル１１が位置している。この最高電位の電池セル１１の正極端子１２に正極接続端子１４が接続されている。最低電位の電池セル１１の負極端子に負極接続端子１５が接続されている。
【００３６】
図３と図４に示すように正極接続端子１４と負極接続端子１５はケース３０の収納空間の外に位置している。正極接続端子１４と負極接続端子１５はカバー７０によって覆われていない。これら正極接続端子１４と負極接続端子１５との間に複数の電池セル１１が位置している。
【００３７】
図１に示すように、ｘ方向で隣り合って並ぶ２つの電池モジュール１００のうちの一方の備える正極接続端子１４と、他方の備える負極接続端子１５とがワイヤハーネス１０１を介して電気的に接続される。このワイヤハーネス１０１の配線長をなるべく短くするために、ｘ方向で隣り合って並ぶ２つの電池モジュール１００のうちの一方の備える正極接続端子１４と他方の備える負極接続端子１５とがｘ方向で並んで配置される。係る配置を実現するために、ｘ方向で隣り合って並ぶ２つの電池モジュール１００の配置位置は、ｚ方向まわりの周方向で１８０°反転している。
【００３８】
＜ケース＞
上記したようにケース３０は筐体３１と蓋体３２を有する。筐体３１と蓋体３２はそれぞれ樹脂成形などによって製造される。
【００３９】
筐体３１はｚ方向に開口するとともに底を有する箱形状を成している。筐体３１はｚ方向の厚さの薄い底壁３４と、底壁３４の内底面３４ａの縁部からｚ方向に沿って環状に起立した環状壁３５と、を有する。環状壁３５の先端側によって筐体３１の開口が構成されている。
【００４０】
細分化して説明すると環状壁３５は、ｙ方向で離間して対向する第１端壁３５ａと第２端壁３５ｂ、および、ｘ方向で離間して対向する第１側壁３５ｃと第２側壁３５ｄを有する。ｚ方向まわりの周方向で第１端壁３５ａ、第１側壁３５ｃ、第２端壁３５ｂ、および、第２側壁３５ｄが順に環状に連結されている。
【００４１】
第１側壁３５ｃと第２側壁３５ｄそれぞれには、収納空間側の内側面３５ｅとその裏側の外側面３５ｆとに開口する複数のスリット３６が形成されている。これら第１側壁３５ｃに形成されたスリット３６と第２側壁３５ｄに形成されたスリット３６とはｘ方向で並んでいる。そして第１側壁３５ｃと第２側壁３５ｄそれぞれで３つ以上のスリット３６が所定の間隔を空けてｙ方向に並んでいる。
【００４２】
＜介在壁＞
筐体３１は、上記した底壁３４と環状壁３５の他に、複数の介在壁３７を有する。複数の介在壁３７それぞれは底壁３４の内底面３４ａからｚ方向に起立している。そして複数の介在壁３７それぞれはｘ方向に延びて第１側壁３５ｃと第２側壁３５ｄそれぞれの内側面３５ｅに連結されている。複数の介在壁３７は所定の間隔を空けてｙ方向に並んでいる。
【００４３】
以上に示した筐体３１の構成により、収納空間の内底面３４ａ側の空間は、第１端壁３５ａと介在壁３７との間、ｙ方向で隣り合って並ぶ２つの介在壁３７の間、および、介在壁３７と第２端壁３５ｂとの間それぞれに区画されている。この区画された複数の配置空間に電池セル１１の下面１１ｂ側が設けられる。
【００４４】
図２に示すように介在壁３７における第１側壁３５ｃの内側面３５ｅとの連結位置は、第１側壁３５ｃにおけるスリット３６の形成位置よりも底壁３４側になっている。介在壁３７における第２側壁３５ｄの内側面３５ｅとの連結位置は、第２側壁３５ｄにおけるスリット３６の形成位置よりも底壁３４側になっている。介在壁３７は、ｘ方向において、第１側壁３５ｃに形成されたスリット３６と第２側壁３５ｄに形成されたスリット３６との間に位置している。
【００４５】
＜突起部＞
介在壁３７におけるｙ方向に面する２つの介在面３７ａそれぞれには、ｙ方向に局所的に突起する微小な突起部が形成されている。第１端壁３５ａと第２端壁３５ｂの収納空間側の内端面３５ｇにもｙ方向に局所的に突起する微小な突起部が形成されている。第１側壁３５ｃと第２側壁３５ｄの内側面３５ｅにはｘ方向に局所的に突起する微小な突起部が形成されている。
【００４６】
電池セル１１は、自身の下面１１ｂが内底面３４ａに近づく態様で、上記の配置空間に圧入される。この圧入によって電池セル１１の第１主面１１ｃと第２主面１１ｄそれぞれの下面１１ｂ側に介在壁３７や端壁に形成された突起部が接触するとともに、これら突起部がｚ方向とｙ方向とに縮む態様で変形する。同様にして電池セル１１の第１横面１１ｅと第２横面１１ｆそれぞれの下面１１ｂ側に側壁の突起部が接触するとともに、この突起部がｚ方向とｘ方向とに縮む態様で変形する。
【００４７】
この変形によって介在壁３７と端壁の突起部はｚ方向とｙ方向に復元力を発生する。側壁の突起部はｚ方向とｘ方向に復元力を発生する。これら突起部の復元力によって電池セル１１の収納空間での位置が保持されている。複数の電池セル１１のｙ方向の並び状態が保持されている。
【００４８】
電池セル１１の収納空間での位置が保持された状態で、電池セル１１の下面１１ｂと底壁３４の内底面３４ａとがｚ方向で離間している。この底壁３４には、内底面３４ａとその裏側の外底面とに開口する貫通孔が形成されている。貫通孔は不純物を含む水などの導電性の液体（導電水）を収納空間の外に排出する機能を果たしている。
【００４９】
また電池セル１１の収納空間での位置が保持された状態で、電池セル１１の第１主面１１ｃと第２主面１１ｄそれぞれは、介在壁３７の介在面３７ａにおける突起部の非形成領域とｙ方向で離間している。そのためにｙ方向で隣り合って並ぶ２つの電池セル１１は、１つの介在壁３７と２つの突起部それぞれのｙ方向の長さ分だけ、ｙ方向に離間している。
【００５０】
＜流通経路＞
電池セル１１の収納空間での位置が保持された状態で、電池セル１１の上面１１ａ側は、介在壁３７におけるケース３０の開口側の上端面よりも内底面３４ａからｚ方向に離間している。そのためにｙ方向で隣り合って並ぶ２つの電池セル１１それぞれの上面１１ａ側の主面同士がｙ方向で直に対向した態様で離間している。これら２つの電池セル１１の主面同士の間に空隙が構成されている。
【００５１】
このｙ方向で隣り合って並ぶ２つの電池セル１１の主面同士の間の空隙は、ｘ方向において、第１側壁３５ｃに形成されたスリット３６と第２側壁３５ｄに形成されたスリット３６との間に位置している。第１側壁３５ｃに形成されたスリット３６と第２側壁３５ｄに形成されたスリット３６とは、ｙ方向で隣り合って並ぶ２つの電池セル１１の主面同士の間の空隙を介してｘ方向に並んでいる。これら２つのスリット３６と１つの空隙とによって、収納空間を流体が通るための流通経路が構成されている。
【００５２】
以上に示した２つのスリット３６と１つの空隙のｘ方向の並びのため、ダクト３００から供給された流体が第１側壁３５ｃに形成されたスリット３６を介して収納空間に流入すると、その流体は２つの電池セル１１の主面同士の間の空隙を通る。この空隙を通った流体は第２側壁３５ｄに形成されたスリット３６を介して収納空間の外に流出される。これにより複数の電池セル１１それぞれが流体と熱交換される。この流体と電池セルとの熱交換は、空隙を流動する流体の流量が多いほどに大きくなる。
【００５３】
＜口部＞
図４と図５に示すように筐体３１は、これまでに説明した底壁３４、環状壁３５、および、複数の介在壁３７の他に、口部３８を有する。口部３８はダクト３００を電池モジュール１００に取り付け固定するためのものである。
【００５４】
口部３８は第１側壁３５ｃの外側面３５ｆに形成されている。口部３８はケース３０の収納空間から離間する態様で外側面３５ｆからｘ方向に環状に起立している。口部３８によって第１側壁３５ｃに形成された全てのスリット３６の外側面３５ｆ側の開口が囲まれている。
【００５５】
細分化して説明すると口部３８は、ｙ方向で離間して対向する第１延長部３８ａと第２延長部３８ｂ、および、ｚ方向で離間して対向する第３延長部３８ｃと第４延長部３８ｄを有する。
【００５６】
第１延長部３８ａは第１側壁３５ｃの外側面３５ｆにおける第１端壁３５ａ側でｘ方向に起立するとともにｚ方向に延びている。第２延長部３８ｂは第１側壁３５ｃの外側面３５ｆにおける第２端壁３５ｂ側でｘ方向に起立するとともにｚ方向に延びている。第１延長部３８ａと第２延長部３８ｂとの間に第１側壁３５ｃに形成された全てのスリット３６の外側面３５ｆ側の開口が位置している。
【００５７】
第３延長部３８ｃは第１側壁３５ｃの外側面３５ｆにおける筐体３１の開口側でｘ方向に起立するとともにｙ方向に延びている。第４延長部３８ｄは第１側壁３５ｃの外側面３５ｆにおける底壁３４側でｘ方向に起立するとともにｙ方向に延びている。第３延長部３８ｃと第４延長部３８ｄとの間に第１側壁３５ｃに形成された全てのスリット３６の外側面３５ｆ側の開口が位置している。第３延長部３８ｃが上側延長部に相当する。第４延長部３８ｄが下側延長部に相当する。
【００５８】
これら４つの延長部がｘ方向まわりの周方向で環状に連結されている。すなわち、第１延長部３８ａ、第３延長部３８ｃ、第２延長部３８ｂ、および、第４延長部３８ｄがｘ方向まわりの周方向で順に環状に連結されている。これにより第１側壁３５ｃに形成された全てのスリット３６の外側面３５ｆ側の開口が口部３８によって囲まれている。この口部３８の開口とダクト３００の供給通路とが連通する態様でダクト３００が口部３８に取り付け固定される。
【００５９】
＜流体の流動方向＞
上記したようにｘ方向で隣り合って並ぶ２つの電池モジュール１００の配置位置はｚ方向まわりの周方向で１８０°反転された関係になっている。そのために図１で示すようにｘ方向で隣り合って並ぶ２つの電池モジュール１００のうちの一方の第１側壁３５ｃと他方の第１側壁３５ｃとがｘ方向で対向する態様で離間して並ぶ。ｘ方向で隣り合って並ぶ２つの電池モジュール１００それぞれの口部３８がｘ方向で対向する態様で離間して並ぶ。これら２つの口部３８の開口と供給通路とが連通する態様で、２つの口部３８それぞれにダクト３００が取り付け固定される。
【００６０】
このダクト３００から供給される流体の流動方向はｙ方向に沿っている。繰り返すが、ｘ方向で隣り合って並ぶ２つの電池モジュール１００の配置位置はｚ方向まわりの周方向で１８０°反転された関係になっている。そのためにダクト３００から供給された流体は、ｘ方向で隣り合って並ぶ２つの電池モジュール１００のうちの一方の第１側壁３５ｃの外側面３５ｆにおいて、第１端壁３５ａ側から第２端壁３５ｂ側へと向かって流れる。ダクト３００から供給された流体は、ｘ方向で隣り合って並ぶ２つの電池モジュール１００のうちの他方の第１側壁３５ｃの外側面３５ｆにおいて、第２端壁３５ｂ側から第１端壁３５ａ側へと向かって流れる。
【００６１】
この外側面３５ｆをｙ方向に沿って流れる流体は、第１端壁３５ａと第２端壁３５ｂのうちの一方から他方へと流れ切った後に、第１端壁３５ａと第２端壁３５ｂのうちの他方側から一方側に位置するスリット３６へと順次流入する振る舞いを示す。
【００６２】
そのために例えば図６において風量を矢印の太さで示すように、第１端壁３５ａ側から第２端壁３５ｂ側へと流れた流体は、第２端壁３５ｂ側まで流れ切った後に、第２端壁３５ｂ側から第１端壁３５ａ側のスリット３６に順に流入する振る舞いを示す。流体は第２端壁３５ｂ側のスリット３６に優先的に流入し、第１端壁３５ａ側のスリット３６に劣後的に流入する。流体は第２端壁３５ｂ側のスリット３６に多く流入し、第１端壁３５ａ側のスリット３６に少なく流入する。
【００６３】
以上に示した複数のスリット３６それぞれへの流体の流入量の差のために、第２端壁３５ｂ側に位置する電池セル１１は第１端壁３５ａ側に位置する電池セル１１よりも流体にと熱交換（冷却）されやすくなる。反対に言えば、第１端壁３５ａ側に位置する電池セル１１は第２端壁３５ｂ側に位置する電池セル１１よりも流体によって冷却されがたくなる。このように複数の電池セル１１それぞれの流体による冷却効果にバラツキが生じる虞がある。
【００６４】
係る課題を解決するために、ダクト３００から外側面３５ｆに供給された流体の、第１端壁３５ａと第２端壁３５ｂのうちの一方から他方へと向かう流動を妨げる妨げ部材９０が、第１側壁３５ｃの外側面３５ｆに設けられている。より厳密に言えば、図５に示すように妨げ部材９０は、第１側壁３５ｃの外側面３５ｆにおける複数のスリット３６のうちの最も第１端壁３５ａ側に位置するスリット３６と最も第２端壁３５ｂ側に位置するスリット３６との間の配置領域ＡＲに設けられている。
【００６５】
妨げ部材９０は第３延長部３８ｃから第４延長部３８ｄへと向かって延びている。妨げ部材９０はｙ方向において２つのスリット３６の間に位置している。妨げ部材９０はｘ方向において第１側壁３５ｃの外側面３５ｆと対向している。妨げ部材９０はｘ方向において第１側壁３５ｃのスリット３６と非対向になっている。
【００６６】
本実施形態では１つの妨げ部材９０が第３延長部３８ｃに形成されている。この１つの妨げ部材９０は、複数のスリット３６のうちの最も第１端壁３５ａ側に位置する２つのスリット３６の間に位置している。
【００６７】
＜作用効果＞
以上に示した構成により、例えば図７に示すように第１端壁３５ａ側から第２端壁３５ｂ側へと向かう流体がダクト３００から供給された場合、その流体の第１端壁３５ａ側から第２端壁３５ｂ側へと向かう流動が妨げ部材９０によって妨げられる。この結果、第２端壁３５ｂ側のスリット３６に流入する流体の流量が低減されやすくなる。その低減分、第１端壁３５ａ側のスリット３６に流入する流体の流量が増大されやすくなる。
【００６８】
また、例えば図８に示すように第２端壁３５ｂ側から第１端壁３５ａ側へと向かう流体がダクト３００から供給された場合、その流体の第２端壁３５ｂ側から第１端壁３５ａ側へと向かう流動が妨げ部材９０によって妨げられる。この結果、第１端壁３５ａ側のスリット３６に流入する流体の流量が低減されやすくなる。その低減分、第２端壁３５ｂ側のスリット３６に流入する流体の流量が増大されやすくなる。
【００６９】
以上により、複数のスリット３６それぞれを介して複数の隙間それぞれに流入する流体の流量の差が多くなることが抑制される。これにより複数の電池セル１１それぞれの流体による冷却効果にバラツキが生じることが抑制される。
【００７０】
妨げ部材９０はｘ方向においてスリット３６と非対向になっている。これによればスリット３６の外側面３５ｆ側の開口とダクト３００の供給通路との連通が妨げ部材９０によって妨げられることが抑制される。そのためにスリット３６への流体の流入が、妨げ部材９０によって妨げられることが抑制される。
【００７１】
（第２実施形態）
次に、第２実施形態を図９〜図１１に基づいて説明する。以下に示す各実施形態と各変形例に係る電池モジュールは上記した実施形態によるものと共通点が多い。そのため以下においては共通部分の説明を省略し、異なる部分を重点的に説明する。また以下においては上記した実施形態で示した要素と同一の要素には同一の符号を付与する。
【００７２】
第１実施形態では１つの妨げ部材９０が第３延長部３８ｃに形成された例を示した。これに対して本実施形態では、２つの妨げ部材９０が第３延長部３８ｃに形成されている。以下においては表記を簡便とするために２つの妨げ部材９０のうちの一方を第１妨げ部材９１、他方を第２妨げ部材９２と表記する。図面においても同様である。
【００７３】
図９に示すように第１妨げ部材９１は、配置領域ＡＲにおける第１端壁３５ａ側でｙ方向に順に並ぶ２つのスリット３６の間に位置している。本実施形態において第１妨げ部材９１は、複数のスリット３６のうちの最も第１端壁３５ａ側に位置する２つのスリット３６の間に位置している。
【００７４】
第２妨げ部材９２は、配置領域ＡＲにおける第２端壁３５ｂ側でｙ方向に順に並ぶ２つのスリット３６の間に位置している。本実施形態において第２妨げ部材９２は、複数のスリット３６のうちの最も第２端壁３５ｂ側に位置する２つのスリット３６の間に位置している。
【００７５】
これによれば、図１に示すように複数の電池モジュール１００それぞれへのダクト３００から供給される流体の流動方向がｙ方向で反転していたとしても、複数の電池モジュール１００それぞれにおける妨げ部材９０による作用効果に差が生じることが抑制される。すなわち、妨げ部材９０によって複数のスリット３６それぞれを介して複数の隙間それぞれに流入する流体の流量の差が多くなることの抑制される作用効果に、複数の電池モジュール１００間で差が生じることが抑制される。複数の電池セル１１それぞれの流体による冷却効果にバラツキが生じることの抑制される作用効果に、複数の電池モジュール１００間で差が生じることが抑制される。
【００７６】
特に本実施形態では、配置領域ＡＲのｙ方向の中心をｘ方向に貫く中心線ＣＬを介して、複数のスリット３６それぞれがｙ方向で対称配置されている。それとともに中心線ＣＬを介して第１妨げ部材９１と第２妨げ部材９２とがｙ方向で対称配置されている。そのために複数の電池セル１１それぞれの流体による冷却効果にバラツキが生じることの抑制される作用効果に、複数の電池モジュール１００間で差が生じることがより効果的に抑制される。
【００７７】
また、上記したように第１妨げ部材９１は配置領域ＡＲにおける第１端壁３５ａ側でｙ方向に順に並ぶ２つのスリット３６の間に位置している。第１妨げ部材９１はこれら２つのスリット３６のうちの第１端壁３５ａ側に位置している。そして第２妨げ部材９２は配置領域ＡＲにおける第２端壁３５ｂ側でｙ方向に順に並ぶ２つのスリット３６の間に位置している。第２妨げ部材９２はこれら２つのスリット３６のうちの第２端壁３５ｂ側に位置している。
【００７８】
これによれば、例えば図１０に示すように第１端壁３５ａ側から第２端壁３５ｂ側に向かう流体が電池モジュール１００に供給される場合、第１妨げ部材９１によって、ｙ方向で順に並ぶ２つのスリット３６のうちの第１端壁３５ａ側のスリット３６に流体が導かれやすくなる。第１妨げ部材９１と第２妨げ部材９２とによって第２端壁３５ｂ側のスリット３６に流体が導かれがたくなる。
【００７９】
これとは反対に、例えば図１１に示すように第２端壁３５ｂ側から第１端壁３５ａ側に向かう流体が電池モジュール１００に供給される場合、第２妨げ部材９２によって、ｙ方向で順に並ぶ２つのスリット３６のうちの第２端壁３５ｂ側のスリット３６に流体が導かれやすくなる。第１妨げ部材９１と第２妨げ部材９２とによって第２端壁３５ｂ側のスリット３６に流体が導かれがたくなる。
【００８０】
これにより、複数のスリット３６それぞれを介して複数の隙間それぞれに流入する流体の流量の差が多くなることがより効果的に抑制される。複数の電池セル１１それぞれの流体による冷却効果にバラツキが生じることがより効果的に抑制される。
【００８１】
なお本実施形態にかかる電池モジュール１００には、第１実施形態に記載の電池モジュール１００と同等の構成要素が含まれている。そのため同等の作用効果を奏することは言うまでもない。
【００８２】
（第３実施形態）
次に、第３実施形態を図１２と図１３に基づいて説明する。
【００８３】
第２実施形態では１つの第１妨げ部材９１と１つの第２妨げ部材９２が第３延長部３８ｃに形成された例を示した。これに対して本実施形態では、図１２に示すように複数の第１妨げ部材９１と複数の第２妨げ部材９２が第３延長部３８ｃに形成されている。
【００８４】
図１３に示すように複数の第１妨げ部材９１それぞれのｘ方向の長さは、ｙ方向において第１端壁３５ａ側から中心線ＣＬ側へと向かうにしたがって徐々に低くなっている。複数の第２妨げ部材９２それぞれのｘ方向の長さは、ｙ方向において第２端壁３５ｂ側から中心線ＣＬ側へと向かうにしたがって徐々に低くなっている。
【００８５】
これによれば、複数の第１妨げ部材９１によって、配置領域ＡＲの第１端壁３５ａ側に位置する複数のスリット３６それぞれに流入する流体の量に差が生じることが抑制される。複数の第２妨げ部材９２によって、配置領域ＡＲの第２端壁３５ｂ側に位置する複数のスリット３６それぞれに流入する流体の量に差が生じることが抑制される。この結果、全てのスリット３６それぞれに流入する流体の量に差が生じることが抑制される。
【００８６】
なお本実施形態にかかる電池モジュール１００には、第２実施形態に記載の電池モジュール１００と同等の構成要素が含まれている。そのため同等の作用効果を奏することは言うまでもない。
【００８７】
以上、本開示物の好ましい実施形態について説明したが、本開示物は上記した実施形態になんら制限されることなく、本開示物の主旨を逸脱しない範囲において、種々変形して実施することが可能である。
【００８８】
（第１の変形例）
各実施形態では特に筐体３１と蓋体３２との連結形態を言及していなかった。この筐体３１と蓋体３２との連結形態としては、例えばボルト締めを採用することができる。図１４に筐体３１と蓋体３２とをボルト止めした場合の電池モジュール１００の側面図を示す。
【００８９】
この図１４に示されるように、本変形例では４つの妨げ部材９０が第３延長部３８ｃに形成されている。これら４つの妨げ部材９０それぞれは蓋体３２側に開口する孔を有する。この孔にはボルト止めするためのねじ孔が形成されている。蓋体３２にはこの妨げ部材９０の孔の開口に連通する貫通孔が形成されている。この貫通孔から妨げ部材９０の孔へと向かってボルトが締結される。これにより筐体３１と蓋体３２とがボルト止めされる。
【００９０】
なお、筐体３１と蓋体３２との連結としては、例えば嵌合を採用することもできる。この場合、妨げ部材９０それぞれは蓋体３２側に開口する孔を有する。蓋体３２にはこの妨げ部材９０の孔の開口に向かって突出する突出部が形成されている。この突出部が妨げ部材９０の孔に圧入される。これにより筐体３１と蓋体３２とが嵌合される。
【００９１】
以上に示したように、妨げ部材９０は、筐体３１と蓋体３２との連結に関わる機能を有してもよい。ボルトと突出部とが固定部材に相当する。
【００９２】
（第２の変形例）
各実施形態では妨げ部材９０が第３延長部３８ｃに形成された例を示した。しかしながら妨げ部材９０の形成位置としては上記例に限定されない。例えば第１側壁３５ｃの外側面３５ｆや第４延長部３８ｄに形成されてもよい。妨げ部材９０は第４延長部３８ｄから第３延長部３８ｃに向かって延びた形態を採用することもできる。
【００９３】
（第３の変形例）
各実施形態では妨げ部材９０のｚ方向の長さを特に言及していなかった。この妨げ部材９０のｚ方向の長さは、スリット３６のｚ方向の長さよりも長くともよいし、同一でもよいし、短くともよい。
【００９４】
（第４の変形例）
各実施形態では第１側壁３５ｃの外側面３５ｆに口部３８の形成された例を示した。しかしながら口部３８は第２側壁３５ｄの外側面３５ｆに形成された構成を採用することもできる。妨げ部材９０は口部３８の形成された外側面３５ｆに設けられればよい。
【符号の説明】
【００９５】
１０…電池スタック、１１…電池セル、３０…ケース、３１…筐体、３２…蓋体、３４…底壁、３４ａ…内底面、３５…環状壁、３５ａ…第１端壁、３５ｂ…第２端壁、３５ｃ…第１側壁、３５ｄ…第２側壁、３５ｅ…内側面、３５ｆ…外側面、３６…スリット、３８…口部、３８ｃ…第３延長部、３８ｄ…第４延長部、９０…妨げ部材、９１…第１妨げ部材、９２…第２妨げ部材、１００…電池モジュール、３００…ダクト、ＡＲ…配置領域、ＣＬ…中心線
【図１】
2020136164.tif 000003
【図２】
2020136164.tif 000004
【図３】
2020136164.tif 000005
【図４】
2020136164.tif 000006
【図５】
2020136164.tif 000007
【図６】
2020136164.tif 000008
【図７】
2020136164.tif 000009
【図８】
2020136164.tif 000010
【図９】
2020136164.tif 000011
【図１０】
2020136164.tif 000012
【図１１】
2020136164.tif 000013
【図１２】
2020136164.tif 000014
【図１３】
2020136164.tif 000015
【図１４】
2020136164.tif 000016